(57)【要約】【課題】飛距離性と方向性を同時に満足するウッドゴルフクラブを提供する。【解決手段】ウッドゴルフクラブは、ヘッド２、シャフト３、グリップとを有し、ヘッド２は重量が２００〜２３０ｇ、シャフト３は重量が６０ｇ以下、長さが１１２ｃｍ以下である。【選択図】  図１
2005245947.tif 000002
【特許請求の範囲】
【請求項１】
ヘッドと、このヘッドに取付けられたシャフトと、このシャフトに取付けられたグリップとを有し、前記ヘッドは重量が２００〜２３０ｇ、前記シャフトは重量が６０ｇ以下、長さが１１２ｃｍ以下であることを特徴とするウッドゴルフクラブ。
【請求項２】
前記ヘッドは容積が２７０ｃｃ以下であることを特徴とする請求項１に記載のウッドゴルフクラブ。
【請求項３】
前記グリップは重量が５０ｇ以上であることを特徴とする請求項１又は２に記載のウッドゴルフクラブ。
【請求項４】
前記ウッドゴルフクラブはドライバーであることを特徴とする請求項１ないし３のいずれか１項に記載のウッドゴルフクラブ。
【請求項５】
前記ウッドゴルフクラブは、グリップエンドにバランスウェートが取付けられたことを特徴とする請求項１ないし４のいずれか１項に記載のウッドゴルフクラブ。
【発明の詳細な説明】
【技術分野】
【０００１】
本発明はウッドゴルフクラブに係り、特にヘッドの重量、シャフトの重量、長さを最適に組合せたウッドゴルフクラブに関する。
【背景技術】
【０００２】
ウッドゴルフクラブ特にドライバー（ウッドの１番）には、方向性よく、より遠くへボールを飛ばすことができる飛距離性能が求められている。
【０００３】
近年、この要望に応えるため、シャフトを長くすることが行われドライバーの長さを４６インチあるいはそれ以上にしているものがある。このドライバーの長尺化は、ゴルフボール打撃時のクラブヘッドのスピード（ヘッドスピード）を上げて、飛距離性能の向上を図るためである。
【０００４】
しかし、ドライバーの長尺化には、製造上の問題と使用上の問題がある。
【０００５】
製造上の問題としては、長尺化に伴いシャフトが長くなり、プレーヤーの安心感を増すためにヘッドを大型化する必要があり、その結果としてドライバー全体の重量が増すため、これを回避するためにヘッド及びシャフトの軽量化が不可欠となる。
【０００６】
ヘッドの軽量化としては、ヘッドがステンレス鋼、チタン合金、アルミニウム高力合金などの中空タイプのものでは、３３０〜３６０ｃｃのものが提案されており（例えば特許文献１）、また、炭素繊維二方向強化エポキシ樹脂製のものにあっては、３００〜６５０ｃｃのものが提案されている（例えば特許文献２）。しかし、これら大型のヘッドは製造上困難が伴うばかりでなく、肉薄化に伴う打球耐久性の問題点がある。
【０００７】
また、使用上の問題としては、長尺化に伴いクラブの振りにくさが増大し、その結果ミスショットの増加、方向性の不安定化および飛距離の増大が期待通りにはならない等の問題点もある。
【０００８】
なお、ヘッドの大型化、シャフトの長尺化に伴い、シャフトの軽量化に関して特許文献３のような提案がある。
【０００９】
また、長尺化以前のドライバーとして、比較的重量が大きく容積の小さなステンレス鋼製ヘッドに比較的重量があるシャフトを挿着したドライバーはあったが、ドライバー全体の重量が大きく、初心者や高齢者には方向性と飛距離性能を十分発揮させることができなかった。
【特許文献１】特開２００３−１０３６３号公報（段落［００１３］、図１）
【特許文献２】特開平１１−２９０４８６号公報（段落［０００６］）
【特許文献３】特開２００３−２４４８９号公報（段落［０００３］、図１）
【発明の開示】
【発明が解決しようとする課題】
【００１０】
本発明は上述した事情を考慮してなされたもので、初心者あるいは高齢上級者が使用しても飛距離性と方向性を同時に満足するウッドゴルフクラブを提供することを目的とする。
【課題を解決するための手段】
【００１１】
本発明者らは、上記目的実現のために、ウッドゴルフクラブの構成部材の重量、長さ等を変えて鋭意試作を行い、試打を繰返し、ヘッドの重さ、容積、シャフトの重量、長さ、グリップの重さを最適に組合せることにより、飛距離性と方向性を同時に満足するウッドゴルフクラブを実現させるに至った。
【００１２】
すなわち、本発明の１つの態様によれば、ヘッドと、このヘッドに取付けられたシャフトと、このシャフトに取付けられたグリップとを有し、前記ヘッドは重量が２００〜２３０ｇ、前記シャフトは重量が６０ｇ以下、長さが１１２ｃｍ以下であることを特徴とするウッドゴルフクラブが提供される。
【発明の効果】
【００１３】
本発明に係るウッドゴルフクラブによれば、飛距離性と方向性を同時に満足するウッドゴルフクラブを提供することができる。
【発明を実施するための最良の形態】
【００１４】
以下、本発明に係るウッドゴルフクラブの一実施形態について添付図面を参照して説明する。
【００１５】
図１は本発明に係るウッドゴルフクラブの一実施形態の概念図である。
【００１６】
図１に示すようなゴルフクラブ例えばドライバーでボールを打った時、ヘッドとボールとの衝突力は、衝突力＝ヘッドの重量×ヘッドの加速度で表わされる。また、この衝突力は、打球時にボールがある時間内に受ける運動量の変化に相当し、衝突力＝ボールの重量×（ボールの初速度×２）÷衝突時間で表される。一方、インパクト時にはボールとヘッドとの間には運動エネルギーの交換が生じ、ヘッドが有する運動エネルギーの一部がボールに移動することとなる。従って、ボールの飛距離はヘッドが有する運動エネルギー（重量×速度）に比例することとなる。よって、飛距離を伸ばすには、ヘッドの重量又はヘッドスピードすなわちシャフトの長さのいずれか一方もしくは両方を高めればよいことになる。しかし、上述のように従来の長尺ドライバーは、振りにくさが増して、ボールをヘッドの後述するスイートスポットに当てにくくなり、ミスショットが増加し、方向性の安定化および飛距離が低下する。
【００１７】
そこで、本実施形態のドライバーでは、ヘッドの重量を増加させると共に、シャフトの長さ及び重量を限定して、後述するスイングバランスを図り、比較的ヘッドスピードが遅い初心者あるいは高齢上級者が使用しても、方向性の安定化と飛距離性の向上を図ることができる。
【００１８】
例えば、図１に示すように、本実施形態のドライバー１（ウッドゴルフクラブの１番）は、ゴルフボールを打撃するヘッド２と、このヘッド２に一端が取付けられたシャフト３と、このシャフト３の他端に取付けられたグリップ４を有している。
【００１９】
上記ヘッド２は、例えば中空ステンレス製でその重量が２００〜２３０ｇであり、その容積が２７０ｃｃ以下であるのが好ましい。重量が２００ｇより小さいとボールに大きな衝撃力を与えることができず、十分な飛距離が得られず、２３０ｇを超えるとドライバー全体の重量が増し、初心者や高齢者には方向性と飛距離性能を十分発揮させることができない。容積が２７０ｃｃを超えると、ヘッドは肉薄になり強度が弱くなり、また、短いシャフトでは十分なヘッドスピードが得られない。
【００２０】
シャフト３は重量が６０ｇ以下であり、その長さが１１２（４４インチ）ｃｍ以下である。重量が６０ｇを超えると、ドライバー全体の重量が大きくなり、好ましくない。シャフトの長さが１１２ｃｍを超えると、ミスショットが増加し、方向性の不安定化および飛距離の増大が期待できない。
【００２１】
シャフト３を短くすることにより、ボールをスイートスポットに当てやすくなり、ミスショットが低減され、また、シャフト３の長さを短くしても、ヘッド２の重量を２００〜２３０ｇにすることにより、比較的ヘッドスピードが遅い初心者あるいは高齢上級者が使用しても、方向性が安定し、飛距離も伸びる。
【００２２】
グリップ４はその重量を限定する必要はないが、ドライバー１全体の重さ、スイングバランス、特にヘッド２との重量バランスを考慮すると、５０ｇ以上であるのが好ましい。グリップ４の重量を大きくすると、ドライバー１全体のスイングバランスを保つことができる。グリップの重量が５０ｇより小さいと、ドライバー１の長さが短くなりすぎスイングバランスを保ちにくい。ドライバー１の長さを考え、スイングバランスを保つためには、図２に示すように、グリップ４のグリップエンド４ａに、例えば厚肉円筒状のバランスウエート５を取付けるとよい。グリップエンド４ａの重量増加によって、カウンターバランス効果が生じヘッドの重いクラブでもスイングが軽く容易になるが、ドライバー１全体の重量は、３６５ｇを超えないのが好ましい。
【００２３】
なお、スイートスポットとは停止状態のボールを打撃した後、与えられたクラブヘッド速度から最大の飛球距離が得られる面（打撃面）であり、スイートスポットはスイング方向に打撃面の重心の直前（もしくは直後）の打撃面の点に近い位置に存在する。スイングバランスは周知の定義式、スイングバランス＝バランスポイントから１４インチ支点までの距離）×クラブ全重量から求められる。
【００２４】
上記のように本実施形態のウッドクラブによれば、高齢上級者あるいは初心者が使用しても、飛距離性と方向性を同時に満足するウッドゴルフクラブが実現される。
【図面の簡単な説明】
【００２５】
【図１】本発明に係るウッドクラブの一実施形態の概念図。
【図２】本発明に係るウッドクラブのグリップエンドを示す縦断面図。
【符号の説明】
【００２６】
１  ドライバー
２  ヘッド
３  シャフト
４  グリップ
４ａ  グリップエンド
５  バランスウェート
【図１】
2005245947.tif 000003
【図２】
2005245947.tif 000004